(57)【要約】【課題】ＨＥＭＳにおける省エネルギーのためのエコモードを容易に識別可能とする。【解決手段】実施形態の表示装置は、ＨＥＭＳ（Home  Energy  Management  System）の管理対象の電気機器における使用電力量を低減させるための第１のエコモードと、その第１のエコモードとは異なる第２のエコモードとを設定する設定手段と、設定された第１のエコモード及び設定された第２のエコモードを区別して表示する表示手段とを備える。【選択図】図７
2014131447.tif 000002
【特許請求の範囲】
【請求項１】
ＨＥＭＳ（Home  Energy  Management  System）の管理対象の電気機器における使用電力量を低減させるための第１のエコモードと、前記第１のエコモードとは異なる第２のエコモードとを該電気機器に設定する設定手段と、
前記設定された第１のエコモード及び前記設定された第２のエコモードを区別して、前記電気機器に対応するアイコンを表示する表示手段と、
を備える表示装置。
【請求項２】
前記表示手段は、前記第１のエコモードが設定された電気機器に対応し当該第１のエコモードを示す第１のアイコンを表示し、前記第２のエコモードが設定された電気機器に対応し当該第２のエコモードを示す第２のアイコンを前記第１のアイコンとは異なる位置に表示する、
請求項１に記載の表示装置。
【請求項３】
前記管理対象の電気機器における使用電力量を取得する取得手段を更に備え、
前記表示手段は、前記取得した使用電力量を更に表示する、
請求項１又は２に記載の表示装置。
【請求項４】
前記表示手段は、前記設定された第１のエコモード又は第２のエコモードに基づいた、前記使用電力量を制限する制限値を更に表示する、
請求項３に記載の表示装置。
【請求項５】
前記表示手段は、前記取得した使用電力量に前記制限値を加えたグラフを表示する、
請求項４に記載の表示装置。
【請求項６】
前記表示手段は、前記第１のエコモード及び前記第２のエコモードの２つのエコモードが設定された場合、当該２つのエコモードに基づいた２つの制御値の中で大きい値の制御値を上限とする前記グラフを表示する、
請求項５に記載の表示装置。
【請求項７】
前記取得手段は、前記管理対象の電気機器ごとに、当該電気機器の使用電力量を取得し、
前記表示手段は、前記取得した電気機器ごとの使用電力量を表示する、
請求項３乃至６のいずれか一項に記載の表示装置。
【請求項８】
ユーザの操作を受け付ける操作手段を更に備え、
前記第１のエコモード及び第２のエコモードの一方は前記ユーザの操作に基づいて設定される、
請求項１乃至７のいずれか一項に記載の表示装置。
【請求項９】
前記表示手段は、前記設定された第１のエコモード及び前記設定された第２のエコモードを区別して表示するとともに、前記管理対象の電気機器ごとの選択操作を受け付ける表示画面を表示し、
前記操作手段は、前記表示画面の選択操作により選択された電気機器についてのエコモードの設定を受け付ける、
請求項８に記載の表示装置。
【請求項１０】
外部機器と通信する通信手段を更に備え、
前記第１のエコモード及び第２のエコモードの一方は前記外部機器との通信に基づいて設定される、
請求項１乃至９のいずれか一項に記載の表示装置。
【請求項１１】
前記第１のエコモードに応じた第１のエコモード移行指示と、前記第２のエコモードに応じた第２のエコモード移行指示とを前記電気機器に送信する送信手段を更に備え、
前記第１及び第２のエコモード移行指示は、前記電気機器に対して夫々同一の電力状態への移行を指示する、請求項１に記載の表示装置。
【請求項１２】
ＨＥＭＳ（Home  Energy  Management  System）の表示装置における表示方法であって、
設定手段が、ＨＥＭＳの管理対象の電気機器における使用電力量を低減させるための第１のエコモードと、前記第１のエコモードとは異なる第２のエコモードとを該電気機器に設定する工程と、
表示手段が、前記設定された第１のエコモード及び前記設定された第２のエコモードを区別して、前記電気機器に対応するアイコンを表示する工程と、
を含む表示方法。
【請求項１３】
ＨＥＭＳ（Home  Energy  Management  System）の表示装置のコンピュータを、
ＨＥＭＳの管理対象の電気機器における使用電力量を低減させるための第１のエコモードと、前記第１のエコモードとは異なる第２のエコモードとを該電気機器に設定する設定手段と、
前記設定された第１のエコモード及び前記設定された第２のエコモードを区別して、前記電気機器に対応するアイコンを表示する表示手段と、
して機能させるプログラム。
【発明の詳細な説明】
【技術分野】
【０００１】
本発明の実施形態は、表示装置、表示方法及びプログラムに関する。
【背景技術】
【０００２】
従来、家庭や店舗などの電力需要家内における複数の電気機器のエネルギー管理システムとして、ＨＥＭＳ（Home  Energy  Management  System）が知られている。このＨＥＭＳでは、キッチンやリビングなどに設けられた電力情報端末などの表示装置に、複数の電気機器の動作状態や使用（消費）エネルギー（使用電力量）の表示、あるいはエコモードでの制御により、省エネルギー、省コストあるいはＣＯ２排出量の削減を行う。
【先行技術文献】
【特許文献】
【０００３】
【特許文献１】特開２０１２−１８１０５５号公報
【発明の概要】
【発明が解決しようとする課題】
【０００４】
しかしながら、上述した従来技術における表示装置では、単にエコモードの表示が行われるだけであり、省エネルギー、省コストあるいはＣＯ２排出量の削減のための設定状態がどのような理由で設定されているかを容易に識別できなかった。例えば、ユーザ設定によるエコモードでの制御が行われているのか、又はＣＥＭＳ（Cluster/Community  Energy  Management  System）や電気事業者の要望によるエコモードでの制御が行われているのかを、ユーザは容易に認識できなかった。
【０００５】
本発明は、上記に鑑みてなされたものであって、ＨＥＭＳにおける省エネルギー、省コストあるいはＣＯ２排出量の削減のためのエコモードを容易に識別可能とする表示装置、表示方法及びプログラムを提供することを目的とする。
【課題を解決するための手段】
【０００６】
上述した課題を解決し、目的を達成するために、実施形態の表示装置は、ＨＥＭＳ（Home  Energy  Management  System）の管理対象の電気機器における使用電力量を低減させるための第１のエコモードと、前記第１のエコモードとは異なる第２のエコモードとを該電気機器に設定する設定手段と、前記設定された第１のエコモード及び前記設定された第２のエコモードを区別して、前記電気機器に対応するアイコンを表示する表示手段と、を備える。
【０００７】
また、実施形態の表示方法は、ＨＥＭＳ（Home  Energy  Management  System）の表示装置における表示方法であって、設定手段が、ＨＥＭＳの管理対象の電気機器における使用電力量を低減させるための第１のエコモードと、前記第１のエコモードとは異なる第２のエコモードとを該電気機器に設定する工程と、表示手段が、前記設定された第１のエコモード及び前記設定された第２のエコモードを区別して、前記電気機器に対応するアイコンを表示する工程と、を含む。
【０００８】
また、実施形態のプログラムは、ＨＥＭＳ（Home  Energy  Management  System）の表示装置のコンピュータを、ＨＥＭＳの管理対象の電気機器における使用電力量を低減させるための第１のエコモードと、前記第１のエコモードとは異なる第２のエコモードとを該電気機器に設定する設定手段と、前記設定された第１のエコモード及び前記設定された第２のエコモードを区別して、前記電気機器に対応するアイコンを表示する表示手段と、して機能させる。
【図面の簡単な説明】
【０００９】
【図１】図１は、実施形態にかかるＨＥＭＳの一例を示す概略図である。
【図２】図２は、実施形態にかかる電力情報端末の機能構成を示すブロック図である。
【図３】図３は、実施形態にかかる電力情報端末の動作の一例を示すフローチャートである。
【図４】図４は、実施形態にかかる電力情報端末の表示画面の一例を示す概念図である。
【図５】図５は、実施形態にかかる電力情報端末の表示画面の一例を示す概念図である。
【図６】図６は、実施形態にかかる電力情報端末の表示画面の一例を示す概念図である。
【図７】図７は、実施形態にかかる電力情報端末の表示画面の一例を示す概念図である。
【図８】図８は、実施形態にかかる電力情報端末の表示画面の一例を示す概念図である。
【図９】図９は、実施形態にかかる電力情報端末の表示画面の一例を示す概念図である。
【図１０】図１０は、実施形態にかかる電力情報端末の設定画面の一例を示す概念図である。
【発明を実施するための形態】
【００１０】
以下、添付図面を参照して実施形態にかかる表示装置、表示方法及びプログラムを詳細に説明する。なお、本実施形態では、家庭や店舗などの電力需要家内における複数の電気機器のエネルギー管理システムであるＨＥＭＳ（Home  Energy  Management  System）の表示装置であり、複数の電気機器の動作状態や使用（消費）エネルギー（使用電力量）の表示、あるいはエコモードでの制御により、省エネルギー、省コストあるいはＣＯ２排出量の削減（以下、単に省エネルギーと呼ぶ）を行う電力情報端末を例に説明する。
【００１１】
なお、電力情報端末は、キッチンやリビングなどに設けられた専用の情報端末であってもよいし、テレビジョン受信装置や、冷蔵庫の前面に設置されたモニター装置で兼用するものであってもよい。例えば、テレビジョン受信装置や冷蔵庫のモニター装置で兼用する場合は、「ＨＥＭＳボタン」の押下操作により所定のプログラムを読み出して実行することで、実現してよい。
【００１２】
図１は、実施形態にかかるＨＥＭＳ１００の一例を示す概略図である。図１に示すように、ＨＥＭＳ１００は、商用系統２０により供給され、分電盤２１により宅内の電気機器２２−１〜２２−８に分配される電力を、キッチンやリビングなどに設けられた電力情報端末１により管理する。
【００１３】
電力情報端末１は、ＬＣＤ（Liquid  Crystal  Display）などの表示部１１、表示部１１に積層されたタッチパネルや操作キーなどの操作部１２（いずれも図２参照）を備えた端末装置である。電力情報端末１は、ホームゲートウエイ３２、通信ネットワーク３１を介したＣＥＭＳ（Cluster/Community  Energy  Management  System）のサーバ装置３０との通信や、管理対象である宅内の電気機器２２−１〜２２−８、分電盤２１の電力計測装置２３とＥＣＨＯＮＥＴ  Ｌｉｔｅ（エコーネットライト、登録商標）による通信Ｔを行って、ＨＥＭＳ１００における電力情報の確認や、電気機器２２−１〜２２−８の制御を行う。ここで、ＥＣＨＯＮＥＴ  Ｌｉｔｅは、エアコン、照明、給湯器、スマート電力量計、各種センサなどをオブジェクト化し、ＧＥＴ（状態取得）、ＳＥＴ（設定）、ＡＮＮＯＵＮＣＥ（通知）などと呼ばれるアクセスルールに従って各機器の操作、状態取得を行う、ＨＥＭＳ標準の通信プロトコルである。
【００１４】
サーバ装置３０は、ＣＥＭＳの管理、すなわちＨＥＭＳを含めた地域全体の使用電力をインターネット等の通信ネットワーク３１を介して管理する。具体的には、サーバ装置３０は、電力使用量の調整（低減）の要請であるデマンドレスポンスＤＲＱを通信ネットワーク３１を介して各ＨＥＭＳ１００へ通知する。各ＨＥＭＳ１００の宅内にはホームゲートウエイ３２が設けられており、通信ネットワーク３１を介したデマンドレスポンスＤＲＱは、ホームゲートウエイ３２を経て電力情報端末１へ通知される。
【００１５】
このデマンドレスポンスＤＲＱは、供給電力に対する電力需要が大きくなり、電力事業者の供給能力に使用電力量が逼迫している場合や、使用電力量に対する料金が割高になる場合にサーバ装置３０より通知される。また、デマンドレスポンスＤＲＱには、電力使用量の低減要請のレベル、低減要請に対応すべき時間帯（例えば料金が割高になる時間帯）、低減する電力量あるいは低減割合などの情報が含まれている。
【００１６】
分電盤２１には、商用系統２０から供給された主幹の電力量と、電気機器２２−１〜２２−８などへ分配する系統ごとの電力量を計測する電力計測装置２３が設けられている。電力計測装置２３は、ＥＣＨＯＮＥＴ  Ｌｉｔｅ等の所定の通信規格で電力情報端末１と通信を行うことで、計測した電力量ＤＰを電力情報端末１へ通知する。
【００１７】
電気機器２２−１〜２２−８は、ＨＥＭＳ１００の宅内に設置された各種電気機器である。具体的には、冷蔵庫、電子レンジ、エアコン、テレビ、洗濯機、掃除機、照明、給湯器などであってよい。電気機器２２−１〜２２−８は、ＥＣＨＯＮＥＴ  Ｌｉｔｅ等の所定の通信規格で電力情報端末１と通信を行うことで、各機器が使用（消費）する電力量の電力情報端末１への通知や、電力情報端末１からの電力使用量の低減要求に応じた省電力制御を行う。
【００１８】
図２は、実施形態にかかる電力情報端末１の機能構成を示すブロック図である。図２に示すように、電力情報端末１は、通信部１０、表示部１１、操作部１２、制御部１３、を備える。
【００１９】
通信部１０は、制御部１３の制御のもと、ホームゲートウエイ３２、通信ネットワーク３１を介したサーバ装置３０との通信、ＥＣＨＯＮＥＴ  Ｌｉｔｅを介した電力計測装置２３、電気機器２２−１〜２２−８との通信を行う。
【００２０】
制御部１３は、ＣＰＵ（Central  Processing  Unit）、ＲＯＭ（Read  Only  Memory）、ＲＡＭ（Random  Access  Memory）を備え（いずれも図示しない）、ＣＰＵがＲＯＭに格納されたプログラムをＲＡＭに展開して順次実行することで、電力情報端末１の動作を制御する。具体的には、制御部１３は、ＣＰＵがプログラムを実行することで、省電力設定部１３１、使用電力取得部１３２、表示制御部１３３としての機能を実現する。
【００２１】
省電力設定部１３１は、操作部１２によるユーザの操作や、通信部１０を介してサーバ装置３０より通知されるデマンドレスポンスＤＲＱに基いて、電力情報端末１の管理対象である電気機器２２−１〜２２−８ごとに、使用電力量を低減させるための省電力モード（エコモード）のオン／オフを設定する。そしてエコモードを設定した電気機器に対してエコモードへの移行指示を送信する。なおユーザ操作に基づいて移行指示を送信する場合も、デマンドレスポンスＤＲＱに基づいて移行指示を送信する場合も、電気機器に対しては同一の状態への移行を指示してもよい。つまり、電気機器は、ユーザ操作由来のエコモード移行指示を受けた場合と、デマンドレスポンスＤＲＱ由来のエコモード移行指示を受けた場合とで、同一の処理を実行し、同一の電力状態に移行してもよい。このエコモードの設定情報は、ＲＡＭに確保された所定領域又はＲＯＭの書き換え可能な領域において管理される。電気機器２２−１〜２２−８における省電力制御は、この設定情報を参照して行われる。
【００２２】
また、省電力設定部１３１におけるエコモードには、操作部１２によるユーザの操作に基づいたエコモード（ユーザ設定のエコモード）と、デマンドレスポンスＤＲＱに基づいたエコモード（ＤＲ設定のエコモード）との２つのエコモード（第１のエコモード及び第２のエコモード）がある。この２つのエコモードのオン／オフの設定は、別々の設定情報で管理されている。なお、ユーザ設定のエコモードについては、電気機器２２−１〜２２−８ごとに選択して行われ、ＤＲ設定のエコモードについては、デマンドレスポンスの有無に基いて電気機器２２−１〜２２−８で一括して行われるものとする。
【００２３】
使用電力取得部１３２は、ＥＣＨＯＮＥＴ  Ｌｉｔｅ等の所定の通信規格による電力計測装置２３、電気機器２２−１〜２２−８からの通知をもとに、ＨＥＭＳ１００の全体の使用電力量、及び電気機器２２−１〜２２−８の個々の使用電力量を取得する。なお、電気機器２２−１〜２２−８の中でＥＣＨＯＮＥＴ  Ｌｉｔｅ等の通信規格に対応していない電気機器については、電力計測装置２３における全体の使用電力量から、ＥＣＨＯＮＥＴ  Ｌｉｔｅ等の通信規格に対応した電気機器の個々の使用電力量を差し引いた「その他の機器」として使用電力量を求めるものとする。
【００２４】
表示制御部１３３は、表示部１１における表示画面の表示制御を行う。具体的には、表示制御部１３３は、省電力設定部１３１により設定されたエコモードのオン／オフの表示部１１への表示、使用電力取得部１３２が取得したＨＥＭＳ１００の全体の使用電力量、及び電気機器２２−１〜２２−８の個々の使用電力量の表示部１１への表示を制御する。なお、省電力設定部１３１により別々に設定された、ユーザ設定のエコモードと、ＤＲ設定のエコモードについては、別々に表示部１１への表示が行われる（詳細は後述する）。
【００２５】
次に、制御部１３の制御のもとで行われる電力情報端末１の動作について説明する。図３は、実施形態にかかる電力情報端末１の動作の一例を示すフローチャートである。
【００２６】
図３に示すように、電源投入などによって処理が開始されると、制御部１３の表示制御部１３３は、ＨＥＭＳ１００の使用電力量等の各種情報を表示するためのエネルギーモニタの表示操作が操作部１２により行われたか否かを判定する（Ｓ１）。
【００２７】
ここで、エネルギーモニタの表示操作が行われていない場合（Ｓ１：ＮＯ）は処理を待機する。エネルギーモニタの表示操作が行われた場合（Ｓ１：ＹＥＳ）、表示制御部１３３は、表示部１１にエネルギーモニタの画面表示を行う（Ｓ２）。
【００２８】
次いで、使用電力取得部１３２は、ＥＣＨＯＮＥＴ  Ｌｉｔｅ等の所定の通信規格による通信Ｔをもとに、ＨＥＭＳ１００の全体の使用電力量、及び電気機器２２−１〜２２−８の個々の使用電力量を取得する（Ｓ３）。
【００２９】
次いで、表示制御部１３３は、使用電力取得部１３２が取得したＨＥＭＳ１００の全体の使用電力量、及び電気機器２２−１〜２２−８の個々の使用電力量をエネルギーモニタの表示画面に表示させる（Ｓ４）。
【００３０】
次いで、表示制御部１３３は、省電力設定部１３１により設定された設定情報を読み出してＨＥＭＳ１００における省電力設定を取得し（Ｓ５）、ユーザによる操作部１２の操作でのエコモード設定があるか否か、すなわちユーザ設定のエコモードの有無を判定する（Ｓ６）。
【００３１】
ユーザ設定のエコモードがある場合（Ｓ６：ＹＥＳ）、表示制御部１３３は、ユーザ設定のエコモードをエネルギーモニタの表示画面に表示させる（Ｓ７）。具体的には、ユーザ設定のエコモードを示すアイコンを表示画面の所定領域に表示させる。
【００３２】
次いで、表示制御部１３３は、サーバ装置３０からのデマンドレスポンス（ＤＲ）によるエコモードの設定があるか否か、すなわちＤＲ設定のエコモードの有無を判定する（Ｓ８）。
【００３３】
ＤＲ設定のエコモードがある場合（Ｓ８：ＹＥＳ）、表示制御部１３３は、ＤＲ設定のエコモードをエネルギーモニタの表示画面に表示させる（Ｓ９）。具体的には、ＤＲ設定のエコモードを示すアイコンを、ユーザ設定のエコモードを示すアイコンを表示させる領域とは別の表示画面の領域に表示させる。
【００３４】
次いで、表示制御部１３３は、エネルギーモニタの画面表示を終了させる操作部１２の操作の有無をもとに、処理の終了の有無を判定する（Ｓ１０）。処理を継続する場合（Ｓ１０：ＮＯ）、表示制御部１３３はＳ２に処理を戻す。処理を終了する場合（Ｓ１０：ＹＥＳ）、表示制御部１３３は、表示部１１におけるエネルギーモニタの画面表示を終了する。
【００３５】
図４〜図９は、実施形態にかかる電力情報端末１の表示画面Ｇの一例を示す概念図であり、より具体的には、エネルギーモニタの表示画面Ｇを例示する図である。エネルギーモニタの表示操作が行われた場合、上述した処理により、図４〜図９に例示する表示画面Ｇが表示部１１に表示される。
【００３６】
表示画面Ｇにおける操作ボタンＢ１は、エネルギーモニタの表示を終了してトップ画面へ戻る指示を受け付けるボタンである。操作ボタンＢ２は、エネルギーモニタの表示を開始する指示を受け付けるボタンである。ユーザは、操作部１２により操作ボタンＢ１、Ｂ２を操作することで、エネルギーモニタ表示の開始／終了を指示できる。
【００３７】
使用電力表示Ｇ１は、Ｓ３で取得したＨＥＭＳ１００の全体の使用電力量である。使用電力表示Ｇ１は、現在の使用電力量を棒グラフなどのグラフ形式で表示画面Ｇに表示する。電力履歴表示Ｇ２は、Ｓ３で取得したＨＥＭＳ１００の全体の使用電力量の履歴であり、所定の期間（例えば１日分）の使用電力量を積算した値を表示する。
【００３８】
使用電力表示Ｇ１における制御値表示ボタンＧ１１は、ユーザ設定のエコモード又はＤＲ設定のエコモードに基づいた、使用電力量を制限する制限値の表示の有無（ＯＮ／ＯＦＦ）を設定するボタンである。この制限値は、ユーザ設定のエコモード又はＤＲ設定のエコモードが有効である場合に、使用電力量を制限する目標値として予め設定された値である。ユーザは、操作部１２の操作により制御値表示ボタンＧ１１のＯＮ／ＯＦＦを切り替えることで、ユーザ設定のエコモード又はＤＲ設定のエコモードが有効である場合の制限値の表示の有無を選択する。
【００３９】
図８に示すように、制御値表示ボタンＧ１１がＯＮである場合、表示制御部１３３は、使用電力表示Ｇ１の使用電力量を示すグラフ（棒グラフ）に、エコモードによる制限値に対応した制御値アイコンＧ１２を表示させる。図示例では、ユーザ設定のエコモードが有効であることから、ユーザ設定のエコモードに対応した制限値を示す制御値アイコンＧ１２が使用電力表示Ｇ１の棒グラフに表示される。これにより、ユーザは、現在の使用電力量とエコモードに対応した制限値との関係が容易に認識可能である。
【００４０】
また、ユーザ設定のエコモード及びＤＲ設定のエコモードが有効である場合は、その２つのエコモードに基づいた２つの制御値の中で大きい値の制御値を上限とするグラフを使用電力表示Ｇ１に表示する。具体的には、図９に示すように、表示制御部１３３は、２つのエコモードに基づいた２つの制御値の中で大きい値の制御値を上限値Ｇ１３とした使用電力量を示すグラフ（棒グラフ）を使用電力表示Ｇ１に表示させる。これにより、ユーザは、現在の使用電力量と、ユーザ設定のエコモード及びＤＲ設定のエコモードの２つのエコモードに基づいた２つの制御値との関係が容易に認識可能である。
【００４１】
デマンドレスポンス表示Ｇ３は、サーバ装置３０からのデマンドレスポンス（ＤＲ）の有無（ＯＮ／ＯＦＦ）を示す。具体的には、図４、図５、図８に示すように、サーバ装置３０からのデマンドレスポンス（ＤＲ）がＯＦＦの場合は、ＯＦＦの表示を行う。また、図６、図７、図９に示すように、サーバ装置３０からのデマンドレスポンス（ＤＲ）がＯＮの場合は、ＯＮの表示を行う。これにより、ユーザは、ＣＥＭＳによるデマンドレスポンスの通知の有無を認識できる。
【００４２】
電気機器表示Ｇ４は、ＥＣＨＯＮＥＴ  Ｌｉｔｅを介した通信に基づいた、電気機器２２−１〜２２−８の各電気機器の状態（家電の運転状況）である。具体的には、電気機器２２−１〜２２−８の機器ごとの電気機器アイコンＧ４１−１〜Ｇ４１−８と、その使用電力量を示す電力表示Ｇ４２−１〜Ｇ４２−８とが表示制御部１３３により表示される。なお、ＥＣＨＯＮＥＴ  Ｌｉｔｅを介した通信によって識別された冷蔵庫、電子レンジ、エアコン、テレビ、洗濯機、掃除機、照明等には、識別された機器に対応した電気機器アイコンＧ４１−１〜Ｇ４１−７と、電力表示Ｇ４２−１〜Ｇ４２−７が表示され、ＥＣＨＯＮＥＴ  Ｌｉｔｅ等の通信規格に対応していない「その他の機器」には、「その他の機器」に対応した電気機器アイコンＧ４１−８と、電力表示Ｇ４２−８とが表示される。
【００４３】
また、表示制御部１３３は、電気機器２２−１〜２２−８の機器ごとの電気機器アイコンＧ４１−１〜Ｇ４１−８に対応した位置に、ユーザ設定のエコモードの有無に基づいたアイコンを表示させる。具体的には、図５、図７〜図９に示すように、ユーザ設定のエコモードが有効であることを示すエコモードアイコンＧ４３−１〜Ｇ４３−８を表示させる。
【００４４】
また、表示制御部１３３は、電気機器２２−１〜２２−８の機器ごとの電気機器アイコンＧ４１−１〜Ｇ４１−８に対応した位置に、ＤＲ設定のエコモードの有無に基づいたアイコンを表示させる。具体的には、図６、図７、図９に示すように、ＤＲ設定のエコモードが有効であることを示すエコモードアイコンＧ４４−１〜Ｇ４４−８を表示させる。
【００４５】
図５〜図９を比較しても明らかなように、ユーザ設定のエコモードが有効であることを示すエコモードアイコンＧ４３−１〜Ｇ４３−８と、ＤＲ設定のエコモードが有効であることを示すエコモードアイコンＧ４４−１〜Ｇ４４−８とは、互いに異なる位置に区別して表示される。具体的には、電気機器アイコンＧ４１−１〜Ｇ４１−８上において、エコモードアイコンＧ４３−１〜Ｇ４３−８と、エコモードアイコンＧ４４−１〜Ｇ４４−８とを上下に並べ、どちらのエコモードが有効／無効であるかを容易に識別しやすいようにしている。これにより、ユーザは、省エネルギーのための設定状態（ユーザ設定によるエコモード及びＤＲ設定によるエコモード）を容易に認識できる。即ち、電気機器２２−１〜２２−８のうち一部の機器についてユーザ設定によるエコモードが設定されている状態において、例えば全機器に対してＤＲ設定によるエコモードが設定された場合、該一部の機器についてはエコモードアイコンＧ４３とＧ４４を表示し、それ以外の機器についてはエコモードアイコンＧ４３を表示せずＧ４４を表示しても良い。これにより、電気機器２２−１〜２２−８がエコモード状態である場合に、ユーザ設定によりエコモードに設定された機器とＤＲ設定によりエコモードに設定された機器とを容易に認識できる。
【００４６】
また、表示画面Ｇでは、電気機器アイコンＧ４１−１〜Ｇ４１−８の選択操作（例えば長押し）を操作部１２により受け付ける。表示制御部１３３は、電気機器アイコンＧ４１−１〜Ｇ４１−８の選択操作が行われた場合、選択された電気機器アイコンＧ４１−１〜Ｇ４１−８の設定を行うための設定画面を表示部１１に表示させる。
【００４７】
図１０は、実施形態にかかる電力情報端末１の設定画面Ｇ２０の一例を示す概念図である。図１０に示すように、エアコンなどの電気機器アイコンが選択された場合は、そのエアコンのコントロールを行う設定画面Ｇ２０が表示部１１に表示される。具体的には、設定画面Ｇ２０では、運転／停止／空気清浄（空清）の切替や温度などの運転状態Ｇ２１の設定、自動／冷房／暖房／除湿などの運転モードＧ２２の設定、自動／微風／弱風／強風などの風量切替Ｇ２３の設定など、エアコン固有の制御設定が行われる（設定対象の機器へのＥＣＨＯＮＥＴ  Ｌｉｔｅを介した通知）。
【００４８】
また、設定画面Ｇ２０では、操作ボタンＢ２１によりエコモードのオン／オフが設定される。操作ボタンＢ２２は、前の表示画面へ戻るための操作ボタンである。この設定画面Ｇ２０により、ユーザは、電気機器アイコンＧ４１−１〜Ｇ４１−８の選択操作により個々の電気機器アイコンに対するエコモードのオン／オフを設定できる。
なお上記の実施形態では、電力情報端末１は、予め設定されたスケジュール設定に従って電気機器２２−１〜２２−８にエコモードを設定し、スケジュール時刻になるとエコモード移行指示を送信しても良い。そしてこの場合に、スケジュール設定によるエコモードとユーザによる個別操作によるエコモードとを区別した表示形態でエコモードアイコンを表示してもよい。そして、ユーザによる個別設定によるエコモードと、ＤＲ設定によるエコモードと、スケジュール設定によるエコモードとを区別してエコモードアイコンを表示しても良い。
【００４９】
なお、本実施形態の電力情報端末１は、例えば住宅やオフィスビルディング等の、各種電気機器を備え付けられた建築構造体の室内の壁面に埋め込まれたものであっても良い。この場合の埋め込み場所としては、例えば玄関ロビーやリビングの壁面が考えられる。また、電力情報端末１は、冷蔵庫等の電気機器に内蔵されたものであっても良い。
なお、本実施形態の電力情報端末１で実行されるプログラムは、ＲＯＭ等に予め組み込まれて提供される。本実施形態の電力情報端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５０】
さらに、本実施形態の電力情報端末１で実行されるプログラムを、インターネット等のネットワークに接続されたコンピュータ上に格納し、ネットワーク経由でダウンロードさせることにより提供するように構成しても良い。また、本実施形態の電力情報端末１で実行されるプログラムをインターネット等のネットワーク経由で提供または配布するように構成しても良い。
【００５１】
本実施形態の電力情報端末１で実行されるプログラムは、上述した機能構成を含むモジュール構成となっており、実際のハードウェアとしてはＣＰＵ（プロセッサ）が上記ＲＯＭからプログラムを読み出して実行することにより上述した機能構成が主記憶装置上にロードされ、主記憶装置上に生成されるようになっている。
【００５２】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００５３】
１…電力情報端末、１０…通信部、１１…表示部、１２…操作部、１３…制御部、１３１…省電力設定部、１３２…使用電力取得部、１３３…表示制御部、２０…商用系統、２１…分電盤、２２−１〜２２−８…電気機器、２３…電力計測装置、３０…サーバ装置、３１…通信ネットワーク、３２…ホームゲートウエイ、１００…ＨＥＭＳ、Ｂ１、Ｂ２、Ｂ２１、Ｂ２２…操作ボタン、Ｇ…表示画面、Ｇ１…使用電力表示、Ｇ２…電力履歴表示、Ｇ３…デマンドレスポンス表示、Ｇ４…電気機器表示、Ｇ１１…制御値表示ボタン、Ｇ１２…制御値アイコン、Ｇ１３…上限値、Ｇ２０…設定画面、Ｇ２１…運転状態、Ｇ２２…運転モード、Ｇ２３…風量切替、Ｇ４１−１〜Ｇ４１−８…電気機器アイコン、Ｇ４２−１〜Ｇ４２−８…電力表示、Ｇ４３−１〜Ｇ４４−８…エコモードアイコン、Ｔ…通信
【図１】
2014131447.tif 000003
【図２】
2014131447.tif 000004
【図３】
2014131447.tif 000005
【図４】
2014131447.tif 000006
【図５】
2014131447.tif 000007
【図６】
2014131447.tif 000008
【図７】
2014131447.tif 000009
【図８】
2014131447.tif 000010
【図９】
2014131447.tif 000011
【図１０】
2014131447.tif 000012